(57)【特許請求の範囲】
【請求項１】
所定の水域の一部分を区切る浸透堤であって、透水性を有する堤体部と、該堤体部内に埋設され、流入側に面して配設された沈木チップのろ過層と、流出側に面して配設された火山ガラスを主成分とするしらすと沈木チップの混合物のろ過層とを備えることを特徴とする浸透堤。
【請求項２】
前記沈木チップのろ過層を堤長方向に連続的に設け、前記しらすと沈木チップの混合物のろ過層を堤長方向に断続的に設けたことを特徴とする請求項１記載の浸透堤。
【請求項３】
前記沈木チップのろ過層と前記しらすと沈木チップの混合物のろ過層とは、ほぼ同じ高さであり、かつ、前記２つのろ過層を通過する水の動水勾配によって、流入側と流出側との間に所定の水位差を設けたことを特徴とする請求項１または２記載の浸透堤。
【請求項４】
請求項１〜３のいずれかに記載の浸透堤による水質浄化方法であって、火山ガラスを主成分とするしらすと沈木チップの混合物に栄養塩の不足している処理対象水よりケイ酸濃度の低い水を通過させ、ｐＨを上げずにケイ酸を水中に溶出することを特徴とする水質浄化方法。
【発明の詳細な説明】
【技術分野】
【０００１】
本発明は、河川、湖沼等の停滞水域に構築される水質改良機能を有する浸透堤に関するものである。
【背景技術】
【０００２】
河川、湖沼等の停滞水域（あるいは閉鎖性水域）では水質の汚濁などが問題となる。特に富栄養化が進行すると藍藻類が異常繁殖して、いわゆるアオコが発生する原因となる。このような停滞水域の水質改善のために従来より様々な提案がなされている。空気を底層部等に送り込む曝気方式やヘドロの浚渫、ろ過槽を用いた生物学的処理などがよく知られている。中でも、自然エネルギーを利用する生物学的処理方法がメンテナンスなどのランニングコストを低減できるため有利である。
このような方法の一つとして、例えば特許文献１がある。これは、内水域と外水域との間で水移動が可能な開口が形成された中空構造体を水底に設置するとともに、該中空構造体の中空内部に礫、砕石等の中詰め材を充填した水質浄化堤とするものである。また、同文献には、礫、砕石等の中詰め材を海底から台形状に積み上げて、これを被覆石で被覆する水質浄化堤とする構成も開示されている。
【０００３】
【特許文献１】特開平１０−７２８１６号公報
【発明の開示】
【発明が解決しようとする課題】
【０００４】
しかし、上記従来の水質浄化堤は、ろ材として、礫、砕石等を使用して内水域の水質浄化を図るものであり、このような礫間浄化だけでは停滞水域などに対しては水質改善効果は期待できない。
河川、湖沼などの停滞水域では、窒素（Ｎ）やリン（Ｐ）などの過剰な栄養塩の除去が問題であり、また海水域では、いわゆる磯枯れを改善するために、ケイ酸など栄養塩の不足を補うことが問題となる。つまり、河川、湖沼、海水域に至るまであらゆる水域の水質を改善するためには、バランスのとれた栄養塩のコントロールが必要になる。
【０００５】
本発明は、上記のような課題に鑑みてなされたもので、河川、湖沼、海等の水域の水質を改善するために、バランスのとれた栄養塩のコントロールを低コストで行うことができる浸透堤を提供することを目的としている。
【課題を解決するための手段】
【０００６】
前記課題を解決するために、本発明に係る浸透堤は、所定の水域の一部分を区切る浸透堤であって、透水性を有する堤体部と、該堤体部内に埋設され、流入側に面して配設された沈木チップのろ過層と、流出側に面して配設された火山ガラスを主成分とするしらすと沈木チップの混合物のろ過層とを備える構成とするものである。
【０００７】
ここに、「沈木チップ」とは、ダムや湖等に沈降している沈木を利用して、それを砕片化した木片である。また、「しらす」は、南九州等に多量に存在するもので、天然の非晶質シリカを多く含有している。
しらすは、水に触れると固まりやすいので、しらすの固化を防止するために沈木チップを混合するものである。
本発明の浸透堤は、上記のように透水性を有する堤体部の内部に、流入側に面して沈木チップのろ過層を、流出側に面してしらすと沈木チップの混合物のろ過層を配設したものであるので、汚水が本浸透堤を通過する過程において、前段の沈木チップのろ過層では、沈木チップに付着している微生物により有機物や窒素等の除去が行われ、後段のしらすと沈木チップの混合物のろ過層では、おもにしらすからのケイ酸の溶出が行われる。
したがって、停滞水域などの水域のバランスのとれた栄養のコントロールが可能となり、水質の改善が可能となる。しかも、本浸透堤に使用されるろ材は、自然界の存在する物質、材料をほとんどそのまま使用するものであるから、低コストで施工することができる。
【０００８】
また、本発明の浸透堤は、前記沈木チップのろ過層を堤長方向に連続的に設け、前記しらすと沈木チップの混合物のろ過層を堤長方向に断続的に設けたものである。
水域の有機物や窒素の除去が主目的である場合には、しらすと沈木チップの混合物のろ過層を堤長方向に断続的に設けることにより、沈木チップのろ過層の占める割合を多くすることで、目的を達成することができる。
【０００９】
また、本発明の浸透堤は、前記沈木チップのろ過層と前記しらすと沈木チップの混合物のろ過層とは、ほぼ同じ高さであり、かつ、前記２つのろ過層を通過する水の動水勾配によって、流入側と流出側との間に所定の水位差を設けることにより、各ろ過層を全体的に有効利用することができる。
【発明を実施するための最良の形態】
【００１０】
以下、本発明を適用した浸透堤の実施の形態を図面に基づいて説明する。
【００１１】
実施の形態１．
図１は本発明の実施の形態１における浸透堤の設置例を示す平面図、図２はその浸透堤の断面図、図３は図２のＡ−Ａ断面図である。
この浸透堤１０は、図１に示すように、例えば池などの停滞水域２０の一部分、すなわち流入側の部分を区切って設置されている。なお、図１において、２１は流入水路、２２は流出水路である。
【００１２】
浸透堤１０は、図２に示すように、天然石や砕石、レンガ、ブロック等の築堤材料をほぼ台形状に積み上げて形成された透水性を有する堤体部１と、この堤体部１の内部に埋設され、流入側（上流）に面して配設された沈木チップのろ過層２と、流出側（下流）に面して配設されたしらすと沈木チップの混合物のろ過層３とを備えている。ここに、沈木チップとは、ダムや湖などの底部に沈降している流木や倒木などを２〜４０ｍｍ程度の長さに砕片化した木片である。
沈木チップろ過層２は、上記の沈木チップのみを例えばネットなどの網体４の中に充填したものである。
しらすと沈木チップの混合物のろ過層（以下、しらすチップろ過層と称する）３は、しらすだけでは水によって固化してしまい目詰まりを生じるため、しらすに上記の沈木チップを混合したものを使用する。しらすの固化を防ぐためには沈木チップが最適であることを実験により確認している。また、上記網体４よりもメッシュの小さい網体５の中にしらすと沈木チップの混合物を充填するのがよい。しらすと沈木チップの混合割合は、重量比で１：１程度、体積比で５：１程度が良好である。
【００１３】
また、流入側に対して前段の沈木チップろ過層２と後段のしらすチップろ過層３は、ほぼ同じ高さで堤体部１の全長にわたって連続的に形成されており、かつ、流入側の水位（計画水位）とほぼ同じ高さを有する。
また、この浸透堤１０を通過する水の流速が０．６ｃｍ／ｍｉｎ以上になるように流入側と流出側とで水位差が設けられている。つまり、水域２０の水位コントロールを行っている。
浸透堤１０の浸透流速ｖは、透水係数ｋ＝１×１０-1ｃｍ／ｓ、動水勾配ｉ＝０．１とすると、ｖ＝ｋ×ｉ＝１×１０-1×０．１＝０．６ｃｍ／ｍｉｎとなる。
【００１４】
浸透堤１０の底部には、底部からの漏水やパイピングを防止するために、基礎地盤６の上に細粒分を多く含む難透水性材料を使用して底部支承部７が施工されている。なお、本浸透堤１０は、池に設置する場合、例えば高さ約１ｍ、長さ数十ｍで構築されている。
【００１５】
以上のように構成された本浸透堤１０の作用について図４を参照しながら説明する。生活廃水などを含む汚水が流入水路２１を通じて池などの停滞水域２０に流れ込んでくると、その汚水は本浸透堤１０の流入側の堤体部１内に浸透する。流入側堤体部１は、天然石や砕石、レンガ、ブロック等で形成されているため、礫間浄化を行うとともに汚水による浸食防止を果たす。礫間浄化が行われた水は次に沈木チップろ過層２に浸透していく。このろ過層２の沈木チップは原生動物の繁殖による目詰まりを起こさず、流水空間を保持しながら沈木チップに付着した微生物により有機物と窒素を除去することができる。さらにこの沈木チップろ過層２を通過した水はしらすチップろ過層３内を浸透していく。しらすは、一般的な板ガラスなどの人造ガラスに比べ、ナトリウム（Ｎａ）やカルシウム（Ｃａ）の含有量の少ない火山ガラスを多量に含むので、珪藻類の吸収しやすいケイ酸を供給することができる。但し、しらすだけでは固化するので、しらすの固化を防止するために、沈木チップを混合したしらすチップをろ材として使用する。このしらすと沈木チップの混合ろ材は一部イオン化したポリマーケイ酸を溶出させる機能をもつ。そして、流出側堤体部１を通じて、有機物、窒素等が除去され、ケイ酸が補給された水が停滞水域２０内に流出していく。この結果、停滞水域２０の優先植物プランクトン種として珪藻類の繁殖を促進させることができる。珪藻類は生態系上一次生産者となり、動物プランクトン等に補食される。以上の過程を通じて、細粒分は除去され、池などの透明度も回復することができる。
【００１６】
以上のように本実施の形態の浸透堤１０の構成によれば、透水性を有する堤体部１の内部に、流入側に面して沈木チップろ過層２を、流出側に面してしらすチップろ過層３を配設したものであるので、汚水が本浸透堤１０を通過する過程において、前段の沈木チップろ過層２では、沈木チップに付着している微生物により有機物や窒素等の除去が行われ、後段のしらすチップろ過層３では、おもにしらすからのケイ酸の溶出が行われる。そのため、停滞水域などの水域のバランスのとれた栄養のコントロールが可能となり、水質の改善が可能となる。しかも、本浸透堤１０を低コストで施工することができる。
【００１７】
しらす及びしらすチップの効果を示す実験結果を図５、図６に示す。図５は河川水をｐＨ７に調整したときのしらすからのケイ酸溶出量の経時変化を示し、図６は同じく河川水をｐＨ７に調整したときのしらすチップからのケイ酸溶出量の経時変化を示す。
実験は、ｐＨ７の河川水５００ｍｌの中に、しらすを１００ｇ、またはしらす５０ｇと沈木チップ５０ｇのしらすチップを投入し、分光分析計によりケイ酸溶出量を測定した。
しらす単独では、図５に示すように、しらす投入後５分間経過したときに最大のケイ酸溶出量を示すが、その後次第にケイ酸溶出量は低下する。投入時から１５分を経過すると投入時よりも低くなっている。これは、しらす単独では固化が進行して水との接触が少なくなることによるものと考えられる。
一方、しらすと沈木チップを重量比で１：１の割合で混合したしらすチップの場合は、図６からわかるように、時間経過とともにケイ酸溶出量が増加する傾向にある。
したがって、沈木チップはしらすの固化を防止するとともにケイ酸溶出量を増加させる効果がある。
【００１８】
図７、図８、図９は、それぞれ、しらすチップと水道水、砂浜、砂浜しらすについて、ケイ酸濃度変化、Ｔ−Ｎ（総窒素濃度変化）、Ｔ−Ｐ（総リン濃度変化）を比較したグラフである。
実験は、５００ｍｌの容器に試料を入れ、上から水を流した。実験に使用した水はすべて同一の水道水（ｐＨ＝７．２３）である。また、砂浜の砂は宮城県石巻市渡波の海浜から採取したものである。砂浜しらすはこの砂浜の砂としらすを重量比で１：１の割合で混合したものである。しらすチップはしらすと沈木チップを重量比で１：１の割合で混合したものである。
これらの図からわかるように、しらすチップのほうが他の試料（水道水、砂浜、砂浜しらす）のどれよりも高いケイ酸濃度変化、Ｔ−Ｎ変化、Ｔ−Ｐ変化を示すことがわかる。
したがって、しらすチップはケイ酸、窒素およびリンの供給に高い効果があることがわかる。よって、栄養塩の不足している水域にはしらすチップろ過層３を通して水を供給することにより、水質を改善することができる。
【００１９】
実施の形態２．
図１０は本発明の実施の形態２における浸透堤の横断面図で、図２のＡ−Ａ断面に相当するものである。
本実施の形態の浸透堤は、流出側に配設されるしらすチップろ過層３を堤長方向に断続的に設けたものである。
窒素除去を主目的にする場合は、このようにしらすチップろ過層３を断続的に設け、沈木チップろ過層２の占める割合を多くすることで、窒素を効率よく除去することができる。
【００２０】
以上の実施の形態では、池などの停滞水域の水質改善について説明したが、河川や海水域についても同様に本発明を適用することができるものである。また、コスト的には多少高くなるが、水域の流入側と流出側（排出側）にそれぞれ本透水堤を設置することもできる。
【図面の簡単な説明】
【００２１】
【図１】本発明の実施の形態１における浸透堤の設置例を示す平面図。
【図２】実施の形態１における浸透堤の断面図。
【図３】図２のＡ−Ａ断面図。
【図４】浸透堤の作用説明図。
【図５】しらすからのケイ酸溶出量の経時変化を示す実験結果のグラフ。
【図６】しらすチップからのケイ酸溶出量の経時変化を示す実験結果のグラフ。
【図７】しらすチップと水道水、砂浜、砂浜しらすについて、ケイ酸濃度変化の比較を示したグラフ。
【図８】しらすチップと水道水、砂浜、砂浜しらすについて、Ｔ−Ｎ変化の比較を示したグラフ。
【図９】しらすチップと水道水、砂浜、砂浜しらすについて、Ｔ−Ｐ変化の比較を示したグラフ。
【図１０】本発明の実施の形態１における浸透堤の横断面図。
【符号の説明】
【００２２】
１  堤体部
２  沈木チップろ過層
３  しらすチップろ過層
４  網体
５  網体
６  基礎地盤
７  底部支承部
１０  浸透堤
２０  停滞水域
２１  流入水路
２２  流出水路
【図１】
0004726675.tif 000002
【図２】
0004726675.tif 000003
【図３】
0004726675.tif 000004
【図４】
0004726675.tif 000005
【図５】
0004726675.tif 000006
【図６】
0004726675.tif 000007
【図７】
0004726675.tif 000008
【図８】
0004726675.tif 000009
【図９】
0004726675.tif 000010
【図１０】
0004726675.tif 000011